(57)【要約】【課題】引き摺り現象が簡単かつ効果的に抑制できる摩擦締結装置を実現する。【解決手段】湿式の摩擦締結装置６である。２つの連結部材１０，２０の各々に係合し、板面を対向させて軸方向に交互に配列された状態でプレート収容室６０に収容された２群の摩擦プレート３０，４０からなるプレート群を備える。プレート群は、摩擦プレート３０，４０の各々が互いに密接する締結状態と、摩擦プレート３０，４０の各々が分離可能になる非締結状態との間で切り替わるように構成されている。非締結状態に切り替わった時に、プレート群の両端に有る端プレート３０ａ，３０ｂの各々が、締結状態の時よりも軸方向に大きな間隔を隔てた位置に保持されるように構成されている。【選択図】図８
2020193664.tif 000002
【特許請求の範囲】
【請求項１】
回転軸へ出力される動力の伝達を切り替える湿式の摩擦締結装置であって、
潤滑油が供給されるプレート収容室を介して径方向に対向する対向面を各々が有する２つの連結部材と、
前記連結部材の各々に係合し、板面を対向させて軸方向に交互に配列された状態で前記プレート収容室に収容された２群の摩擦プレートからなるプレート群と、
を備え、
前記プレート群は、押付力が加えられることによって前記摩擦プレートの各々が互いに密接する締結状態と、前記押付力が除かれることによって前記摩擦プレートの各々が分離可能になる非締結状態と、の間で切り替わるように構成されていて、
前記非締結状態に切り替わった時に、前記プレート群の両端に有る端プレートの各々が、前記締結状態の時よりも軸方向に大きな間隔を隔てた位置に保持されるように構成されている、摩擦締結装置。
【請求項２】
請求項１に記載の摩擦締結装置において、
軸方向の一方から前記プレート群に向かって進退することにより、前記プレート群に前記押付力を加えるピストンを更に備え、
前記端プレートが、前記ピストンとともに軸方向に移動する可動端プレートと、軸方向に移動不能に設けられた不動端プレートとで構成されている、摩擦締結装置。
【請求項３】
請求項２に記載の摩擦締結装置において、
前記可動端プレートが、溶接または一体成形により、前記ピストンと一体に設けられている、摩擦締結装置。
【請求項４】
請求項２または請求項３に記載の摩擦締結装置において、
一方の前記連結部材の対向面に、軸方向に延びて前記ピストンの側が閉じられた複数のスライド凹部が形成され、
一方の前記摩擦プレートの各々は、前記スライド凹部の各々に、前記ピストンの反対側から嵌入されてスライド自在になる複数のスライド凸部を有し、
前記スライド凹部における前記ピストンの反対側の部分に移動規制部を設け、
前記移動規制部で、最後に嵌入される前記一方の摩擦プレートの前記ピストンの側へのスライドを規制することにより、前記不動端プレートが構成されている、摩擦締結装置。
【請求項５】
請求項２または請求項３に記載の摩擦締結装置において、
一方の前記連結部材に形成されたリング溝と、前記リング溝に嵌入されて一方の前記摩擦プレートに接触するスナップリングと、を更に備え、
前記スナップリングが前記一方の前記摩擦プレートを受け止めることにより、前記ピストンの反対側への前記一方の前記摩擦プレートの移動が規制されるようになっており、
前記リング溝および前記一方の前記摩擦プレートの少なくともいずれか一方に移動規制部を設け、
前記移動規制部で、前記一方の前記摩擦プレートの前記ピストンの側への移動を規制することにより、前記不動端プレートが構成されている、摩擦締結装置。
【発明の詳細な説明】
【技術分野】
【０００１】
開示する技術は、トランスミッション等が備える、クラッチやブレーキ等を構成する湿式の摩擦締結装置に関する。
【背景技術】
【０００２】
一般に、この種の摩擦締結装置には、複数のドライブプレートおよび複数のドリブンプレートからなる摩擦プレートが備えられている。ドライブプレートおよびドリブンプレートの各々は、例えばハブおよびドラムの各々に連結されていて、互いにスライド可能な状態で、板厚方向に交互に配列されている。摩擦締結装置の使用中、これら摩擦プレートの間には、潤滑油（ＡＴＦ）が供給される（いわゆる湿式）。
【０００３】
これら摩擦プレートが互いに密接するように押し付けられることで、ハブおよびドラムは、互いに連結された状態（締結状態）となる。これら摩擦プレートが互いに離れるように押付力が除かれることで、ハブおよびドラムは、互いに独立して動作する状態（非締結状態）となる。
【０００４】
この種の摩擦締結装置では、非締結状態であっても、互いに隣接する摩擦プレート同士が適切に離れずに、摩擦プレート間で摩擦抵抗が発生するおそれがある（引き摺り現象）。この摩擦抵抗は、不要なトルク（引き摺りトルク、ドラグトルク）を生じることから、これまでも様々な対策が検討されている。
【０００５】
例えば、特許文献１には、各摩擦プレートの間に環状のウエーブスプリングを介在させ、その弾性力で、非締結時に各摩擦プレートの間の隙間を拡げるようにしたクラッチ装置が開示されている。
【０００６】
また、特許文献２には、各摩擦プレートに、ばねクリップを装着し、その弾性力で、各摩擦プレートが離れるように付勢した摩擦係合装置が開示されている。
【先行技術文献】
【特許文献】
【０００７】
【特許文献１】平５−１８７４５８号公報
【特許文献２】特開２００３−１３９９６号公報
【発明の概要】
【発明が解決しようとする課題】
【０００８】
特許文献１や特許文献２の技術を用いれば、非締結時に、互いに隣接している摩擦プレート同士を安定して離れさせることができる。
【０００９】
ところが、これら技術では、ウエーブスプリングや、ばねクリップを多数用意し、これらパーツの一つ一つを、摩擦プレート間の隙間の適切な位置に、適切な状態で組み付ける必要がある。そのため、部品数が多くなって部材コストが高くつく、組み付け工数も多くなる、組み付け作業の作業負担が大きい、パーツ１つが不良なだけで適切な効果が得られない、といった問題がある。
【００１０】
それに対し、本発明者らが、引き摺り現象について詳しく検討したところ、そのメカニズムに基づけば、極めて簡単な構成で引き摺り現象が効果的に抑制できることを見出した。
【００１１】
そこで開示する技術の主たる目的は、簡単な構成でありながら、引き摺り現象が効果的に抑制できる摩擦締結装置を実現することにある。
【課題を解決するための手段】
【００１２】
開示する技術は、回転軸へ出力される動力の伝達を切り替える湿式の摩擦締結装置に関する。
【００１３】
前記摩擦締結装置は、潤滑油が供給されるプレート収容室を介して径方向に対向する対向面を各々が有する２つの連結部材と、前記連結部材の各々に係合し、板面を対向させて軸方向に交互に配列された状態で前記プレート収容室に収容された２群の摩擦プレートからなるプレート群と、を備える。前記プレート群は、押付力が加えられることによって前記摩擦プレートの各々が互いに密接する締結状態と、前記押付力が除かれることによって前記摩擦プレートの各々が分離可能になる非締結状態と、の間で切り替わるように構成されている。
【００１４】
そして、前記非締結状態に切り替わった時に、前記プレート群の両端に有る端プレートの各々が、前記締結状態の時よりも軸方向に大きな間隔を隔てた位置に保持されるように構成されている。
【００１５】
すなわち、非締結状態に切り替わることで、プレート群を構成している摩擦プレートの各々は、軸方向に自由に移動できるようになるが、非締結状態に切り替わった時に、そのプレート群の両端に有る２つの端プレートを、強制的に、所定の間隔を隔てた位置に保持し、軸方向の移動を規制する。
【００１６】
詳細は後述するが、そのようにするだけで、圧力バランスによって、各摩擦プレートが、自然に、略等しい間隔を隔てて配列されることを見出した。従って、この摩擦締結装置によれば、簡単な構成でありながら、引き摺り現象が効果的に抑制できる。
【００１７】
前記摩擦締結装置はまた、軸方向の一方から前記プレート群に向かって進退することにより、前記プレート群に前記押付力を加えるピストンを更に備え、前記端プレートが、前記ピストンとともに軸方向に移動する可動端プレートと、軸方向に移動不能に設けられた不動端プレートとで構成されている、としてもよい。
【００１８】
そうすれば、既存の部材を利用して、簡単に高性能な摩擦締結装置を実現できる。
【００１９】
具体的には、前記可動端プレートが、溶接または一体成形により、前記ピストンと一体に設けられている、としてもよい。
【００２０】
そうすれば、極めて簡単に可動端プレートを構成できる。
【００２１】
前記摩擦締結装置はまた、一方の前記連結部材の対向面に、軸方向に延びて前記ピストンの側が閉じられた複数のスライド凹部が形成され、一方の前記摩擦プレートの各々は、前記スライド凹部の各々に、前記ピストンの反対側から嵌入されてスライド自在になる複数のスライド凸部を有し、前記スライド凹部における前記ピストンの反対側の部分に移動規制部を設け、前記移動規制部で、最後に嵌入される前記一方の摩擦プレートの前記ピストンの側へのスライドを規制することにより、前記不動端プレートが構成されている、としてもよい。
【００２２】
そうすれば、既存の部材を利用して、極めて簡単に不動端プレートを構成できる。
【００２３】
前記摩擦締結装置はまた、一方の前記連結部材に形成されたリング溝と、前記リング溝に嵌入されて一方の前記摩擦プレートに接触するスナップリングと、を更に備え、前記スナップリングが前記一方の前記摩擦プレートを受け止めることにより、前記ピストンの反対側への前記一方の前記摩擦プレートの移動が規制されるようになっており、前記リング溝および前記一方の前記摩擦プレートの少なくともいずれか一方に移動規制部を設け、前記移動規制部で、前記一方の前記摩擦プレートの前記ピストンの側への移動を規制することにより、前記不動端プレートが構成されている、としてもよい。
【００２４】
この場合も、既存の部材を利用して、極めて簡単に不動端プレートを構成できる。
【発明の効果】
【００２５】
開示する技術によれば、簡単な構成で、非締結時に発生する引き摺り現象を効果的に抑制できるようになるので、燃費に優れた摩擦締結装置が実現できる。
【図面の簡単な説明】
【００２６】
【図１】開示する技術に好適なトランスミッションとその関連装置を示す概略図である。拡大図は、摩擦締結装置の部分の概略断面図である。
【図２】図１の拡大図に対応した、摩擦締結装置の簡略図である。
【図３】摩擦締結装置の主な部材の組み付け構造を示す概略斜視図である。
【図４】摩擦締結装置の動作を説明するための概略図である。
【図５】ハブの回転数と、面間距離、面間圧力、および引き摺りトルクの各々との関係を表したグラフである。
【図６Ａ】引き摺りトルクを説明するための図である。
【図６Ｂ】開示する技術のメカニズムを説明するための図である。
【図７】開示する技術を適用した場合の図５に対応したグラフである。
【図８】開示する技術を適用した摩擦締結装置の具体例を示す概略図である。
【図９】不動端プレートの構成を説明するための図である。
【図１０】不動端プレートの構成を説明するための図である。
【図１１Ａ】不動端プレートの別形態を示す概略図である。
【図１１Ｂ】不動端プレートの別形態を示す概略図である。
【発明を実施するための形態】
【００２７】
以下、開示する技術の実施形態を図面に基づいて詳細に説明する。ただし、以下の説明は、本質的に例示に過ぎず、本発明、その適用物あるいはその用途を制限するものではない。
【００２８】
説明では、後述する出力軸３が延びる方向を「軸方向」とし、出力軸３を中心とする半径あるいは直径の方向を「径方向」とし、出力軸３を中心に回る方向を「周方向」とする。また、軸方向のうち、後述するトランスミッション１へ動力が入力される側を「入力側」、トランスミッション１から動力が出力される側を「出力側」とする。
【００２９】
＜トランスミッション＞
図１に、開示する技術に好適なトランスミッション１（自動変速機）を例示する。トランスミッション１は、自動車に搭載されている。トランスミッション１は、エンジンやモータなどの駆動源Ｅと、車輪Ｗとの間に介在していて、駆動源Ｅから出力される回転動力を加速や減速して車輪に出力する。
【００３０】
例示のトランスミッション１は、多段式自動変速機（いわゆるＡＴ）である。なお、開示する技術の適用対象はトランスミッション１に限らない。湿式の摩擦締結装置を有するものであれば適用できる。
【００３１】
トランスミッション１は、筐体２、出力軸３（回転軸）、変速装置４、断続装置５などで構成されている。筐体２は、トランスミッション１の外郭を構成しており、断続装置５および変速装置４を収容するとともに出力軸３を回転可能な状態で支持している。
【００３２】
断続装置５（いわゆるトルクコンバータ）は、駆動源Ｅに連結されており、駆動源Ｅが出力する回転動力を必要に応じてトランスミッション１に入力する。変速装置４は、出力軸３の周囲に配置されていて、断続装置５と出力軸３との間に介在している。変速装置４は、断続装置５から入力される回転動力の回転数を切り替えて出力軸３に伝達する。出力軸３を通じてトランスミッション１から出力される回転動力が車輪Ｗに伝達される。
【００３３】
変速装置４には、出力する回転数を切り替えるために、複数の遊星歯車機構が組み込まれている。変速装置４にはまた、これら遊星歯車機構を切り替えるために、クラッチまたはブレーキ（摩擦締結装置６）が組み込まれている。トランスミッション１は、これらクラッチまたはブレーキの作動状態を変更することにより、前進や後退、回転速度の切り替えを実行する。
【００３４】
（摩擦締結装置６の構造）
クラッチとブレーキとは、機能的には異なるが構造的には、ほぼ同じである（以下、クラッチとして摩擦締結装置６を説明する）。
【００３５】
図１に、変速装置４が備えるクラッチ６の一部を拡大して示す。併せて、それに対応した簡略図を図２に示す。図示のクラッチ６は、「連結部材」として、ドラム１０およびハブ２０を備えている（例えば、ドラム１０およびハブ２０の一方を構造的に回転不能にすればブレーキになる）。クラッチ６は、これらドラム１０およびハブ２０に加え、複数のドリブンプレート３０（第１の摩擦プレート）、複数のドライブプレート４０（第２の摩擦プレート）、ピストン５０などで構成されている。
【００３６】
（ドラム１０、ハブ２０）
図３に簡略化して示すように、ドラム１０は、円筒状の周壁部１０ａと、出力軸３が中心部を貫通する円板状の底壁部１０ｂとを有する有底円筒状の部材からなる。ドラム１０は、その底壁部１０ｂを出力側に向けた状態で、筐体２の内部に出力軸３と同軸に配置されている。ハブ２０は、ドラム１０よりも小径の円筒状の部分（ハブ軸部２０ａ）を有した部材からなる。そのハブ軸部２０ａが、ドラム１０の内側に収容されていて、出力軸３と同軸に配置されている。
【００３７】
ドラム１０およびハブ２０は、独立して回転可能な状態で筐体２に支持されている。そして、ドラム１０およびハブ２０の各々は、出力軸３および変速装置４のいずれか一方に、直接的または間接的に連結されている。このクラッチ６では、ドラム１０が出力軸３に連結され、ハブ２０が変速装置４に連結されている。
【００３８】
ドラム１０の周壁部１０ａの内周面とハブ軸部２０ａの外周面とは、径方向に互いに対向しており（対向面）、これら対向面の間には、環状の空間（プレート収容室６０）が設けられている。トランスミッション１の作動時には、このプレート収容室６０に、貯油槽や油圧ポンプなどからなる潤滑装置７（図２にのみ表示）から、ハブ軸部２０ａに形成された油導入路７ａおよび筐体２の内部に形成された送油路７ａを通じ、作動時には、一定の流量で潤滑油（ＡＴＦ：Ａｕｔｏｍａｔｉｃ  Ｔｒａｎｓｍｉｓｓｉｏｎ  Ｆｌｕｉｄ）が循環供給されるようになっている（いわゆる湿式）。
【００３９】
プレート収容室６０に供給されたＡＴＦは、ドラム１０の周壁部１０ａに形成された油導出路７ｂおよび筐体２の内部に形成された返油路７ｂを通じて潤滑装置７に戻される。
【００４０】
ドラム１０の周壁部１０ａの内周面には、軸方向に延びる複数の第１嵌合溝１１（スライド凹部）が形成されている。各第１嵌合溝１１は、周方向に間隔を隔てて配置されている。本実施形態のドラム１０では、各第１嵌合溝１１の入力側の端部は開放されている（開放端１１ａ）。対して、出力側の端部は底壁部１０ｂによって閉じられている（封止端１１ｂ）。
【００４１】
ハブ軸部２０ａの外周面にも、軸方向に延びる複数の第２嵌合溝２１が形成されている。各第２嵌合溝２１も周方向に間隔を隔てて配置されている。
【００４２】
（ドリブンプレート３０、ドライブプレート４０）
図３に示すように、各ドリブンプレート３０は、金属で形成された環状の板部材からなる。各ドリブンプレート３０の外周縁には、各第１嵌合溝１１にスライド自在な状態で嵌合する複数の第１嵌合片３１（スライド凸部）が張り出すように形成されている。開放端１１ａから第１嵌合溝１１に第１嵌合片３１を嵌入することにより、各ドリブンプレート３０は、ドラム１０に取り付けられていて軸方向にスライド自在となっている（いわゆるスプライン嵌合）。
【００４３】
図３に示すように、各ドライブプレート４０は、ドライブプレート４０よりも肉薄な、金属で形成された環状の板部材からなる。各ドライブプレート４０の内周縁には、複数の第２嵌合片４１が張り出すように形成されている。各ドライブプレート４０もまた、第２嵌合溝２１に第２嵌合片４１を嵌入することにより、軸方向に自在にスライドできる状態でハブ２０に取り付けられている（スプライン嵌合）。
【００４４】
ドリブンプレート３０の一群およびドライブプレート４０の一群は、板面を対向させて軸方向に交互に配列された状態で、プレート収容室６０に収容されている（これら２群の摩擦プレートを合わせて「プレート群」ともいう）。
【００４５】
このクラッチ６では、ドリブンプレート３０が、プレート群の軸方向の両端に位置するように配置されている（出力側の端に有るドリブンプレート３０を出力側端プレート３０ａともいい、入力側の端に有るドリブンプレート３０を入力側端プレート３０ｂともいう）。本実施形態のクラッチ６では、入力側端プレート３０ｂに、他のドリブンプレート３０よりも厚みの大きいドリブンプレート３０（リテーナプレート３０ｂともいう）が用いられている。
【００４６】
ドラム１０における各第１嵌合溝１１の開放端１１ａの近傍部分には、周方向に延びるリング溝１２が形成されている。そして、このリング溝１２に、弾性を有する円弧形状のスナップリング７０が嵌入されている。
【００４７】
リング溝１２にスナップリング７０を嵌入することで、各第１嵌合溝１１の開放端１１ａが封止される。リテーナプレート３０ｂが入力側にスライドすると、スナップリング７０に接触し、スナップリング７０に受け止められる。それにより、入力側へのリテーナプレート３０ｂの移動が規制（阻止）されている。
【００４８】
（ピストン５０）
図１、図２に示すように、ドラム１０の奥方、つまりプレート収容室６０の出力側には、軸方向にスライドするピストン５０が配置されている。本実施形態のピストン５０は、押付部５０ａ、作動部５０ｂなどで一体に構成されている。
【００４９】
押付部５０ａは、プレート収容室６０に位置しており、プレート群よりも更に出力側に配置されている。そして、押付部５０ａは、出力側端プレート３０ａと軸方向に対向するように配置されている。一方、作動部５０ｂは、ハブ２０の内側に位置しており、入力側に設けられたスプリング５１と、出力側に設けられた油圧室５２との間に配置されている。油圧室５２は、作動部５０ｂによって液密状に仕切られている。
【００５０】
作動部５０ｂは、スプリング５１の弾性力によって出力側に向かうように付勢されている。油圧室５２には、必要に応じて図外の油圧ポンプから圧油が供給または排出される。それにより、作動部５０ｂに油圧が作用して、作動部５０ｂが軸方向に移動するように構成されている。
【００５１】
すなわち、油圧室５２に圧油が供給されると、作動部５０ｂは、スプリング５１の弾性力に抗して入力側にスライドする。油圧室５２から圧油が排出されると、作動部５０ｂは、スプリング５１の弾性力によって出力側にスライドする。出力側にスライドした作動部５０ｂは、ドラム１０の底壁部１０ｂによって受け止められる。それにより、作動部５０ｂの移動は規制（阻止）されている。
【００５２】
このような油圧制御による作動部５０ｂの移動に伴い、押付部５０ａは、プレート収容室６０を移動し、出力側からプレート群に向かって進退する。
【００５３】
（摩擦締結装置６の作動）
ハブ２０およびドラム１０の連結状態と非連結状態とを切り替えるために、油圧制御によってクラッチ６の切り替えが行われる。
【００５４】
具体的には、図４に示すように、ドリブンプレート３０およびドライブプレート４０の各々が互いに密接する状態（締結状態）と、ドリブンプレート３０およびドライブプレート４０の各々が分離可能になる状態（非締結状態）との間で、クラッチ６は切り替わるように構成されている。
【００５５】
すなわち、油圧室５２に圧油が供給されると、図４の左図に示すように、ピストン５０（押付部５０ａ）が入力側に移動する。それにより、プレート群に押付力が加わって締結状態になる。締結状態では、リテーナプレート３０ｂを含むプレート群は、スナップリング７０に受け止められており、押付部５０ａは、最も入力側に位置している。
【００５６】
一方、油圧室５２から圧油が排出されると、図４の右図に示すように、スプリング５１の弾性力でピストン５０（押付部５０ａ）が出力側に移動する。それにより、ピストン５０はプレート群から離れ、押付力がプレート群から除かれて非締結状態になる。非締結状態では、押付部５０ａは最も出力側に位置することになるので、押付部５０ａとスナップリング７０との間の間隔が拡がり、リテーナプレート３０ｂを含むドリブンプレート３０およびドライブプレート４０の各々は、その拡がった間隔でフリーな状態（軸方向にスライド自在な状態）となる。
【００５７】
非締結状態のドリブンプレート３０およびドライブプレート４０の各々には、押付力が作用せず、かつ、軸方向にスライド自在なため、本来的には、これらの間に摩擦力は作用しないが、湿式のクラッチ６では、これらの間にＡＴＦが介在するため、その流体摩擦によって摩擦抵抗が発生し、トルク損を招くおそれがある（引き摺り現象）。
【００５８】
すなわち、非締結状態において、ハブ２０が回転していると、ハブ２０からプレート収容室６０に導入されるＡＴＦには遠心力が作用し、径方向を内側から外側に向かうように、ＡＴＦの流れが促進される。
【００５９】
通常、ＡＴＦは、プレート収容室６０に一定の流量で供給されていることから、ハブ２０の回転数が高まると、遠心力により流速が高まって、プレート収容室６０からのＡＴＦの流出量が供給量を上回る状態が発生する。そのような状態になると、互いに隣接しているドリブンプレート３０およびドライブプレート４０の各板面の間（単に板面間ともいう）に、径方向の圧力差が形成されて、板面間に負圧が発生する。
【００６０】
図５に、シミュレーションにより、ハブ２０の回転数に対する、面間距離（板面間の距離）、面間圧力（板面間の圧力）、および、それによって生じる引き摺りトルクとの関係を表したグラフを例示する。面間距離Ｓ０は、非締結状態において、ドリブンプレート３０およびドライブプレート４０の各々を、均等に、すなわち等間隔で配置した場合の面間距離である（適正面間距離Ｓ０ともいう）。
【００６１】
回転数が低いと、遠心力の作用が小さく、ＡＴＦの供給量も流出量よりも多くなることから面間圧力も高くなり（正圧）、面間距離は、ほぼ適正面間距離Ｓ０となる。そのため、摩擦抵抗も小さく、引き摺りトルクも僅かである。
【００６２】
回転数が高くなると、それに伴って遠心力の作用が大きくなる。そうなると、上述したように、ＡＴＦの流出量が供給量を上回る状態となり、板面間に負圧が発生する。非締結状態のドリブンプレート３０およびドライブプレート４０の各々は、軸方向に拡がった間隔でフリーな状態となっているため、その負圧の作用によって互いに引き付けられ、圧力バランスにより面間圧力が０（ゼロ）になる一方で、面間距離は小さくなる。
【００６３】
すなわち、実際には、高回転時における非締結状態のプレート群は、図６Ａに示すように、ドリブンプレート３０およびドライブプレート４０の各々が、軸方向に移動可能な範囲をＬとすると、移動可能範囲Ｌに対して小さい面間距離Ｓを隔てて密集し、プレート収容室６０の入力側に偏って位置した状態となっている。その結果、板面間に存在するＡＴＦの流体摩擦の影響により、引き摺りトルクが上昇して高止まりした状態となっている。
【００６４】
そのため、これまでも、板面間にスプリング等を取り付けて板面間を拡げる工夫が提案されてはいるが、構造が複雑になるなど問題も多い。それに対し、本発明者らは、引き摺り現象の発生メカニズムに基づけば、極めて簡単な構成で引き摺り現象を効果的に抑制できることを見出した。開示する技術は、この知見に基づくものである。
【００６５】
＜開示する技術の適用＞
（開示する技術のメカニズム）
上述したように、非締結状態でのプレート群は軸方向にフリーな状態であるため、負圧の作用で引き付けられて互いに近接し、プレート収容室６０の内部で偏在した状態となっている。
【００６６】
それに対し、本発明者らは、非締結状態において、プレート群の両端に有る摩擦プレート（端プレート）の各々を、締結状態の時よりも軸方向に大きな間隔を隔てた位置に保持するように構成することで、板面間に負圧が発生しても、圧力バランスにより、面間距離を、自然に、ほぼ適正面間距離Ｓ０に維持できることを見出した。
【００６７】
具体的には、図６Ｂに示すように、非締結状態に切り替わった時に、端プレートの各々を、板面間に十分な間隔が得られるように、軸方向に、所定距離以上離れて位置するように構成する。そうすることにより、板面間の圧力が負圧であっても、各板面間の圧力が均等になるように、面間距離が自然に調整されていき、略等間隔で釣り合うようになる。その結果、面間距離を、ほぼ適正面間距離Ｓ０に維持できる。
【００６８】
非締結状態の時に、端部プレートを所定位置に保持した場合でのシミュレーションに基づくグラフを、図５に対応して、図７に例示する。図７に示すように、回転数が高くなり、負圧の作用によって、隣接しているドリブンプレート３０とドライブプレート４０とが互いに引き付けられるようになると、面間圧力はそれに伴って負圧になる。
【００６９】
その一方で、面間距離は、ほとんど変化せずに適正面間距離Ｓ０に維持され、引き摺りトルクも大幅に減少することが確認できた。従って、非締結状態での端プレートの各々を、板面間が適正面間距離Ｓ０となるように、所定の間隔を隔てた位置に保持することで、引き摺り現象を効果的に抑制することが可能になる。
【００７０】
（開示する技術の具体例）
図８に、上述したトランスミッション１に対して、開示する技術を適用した具体例を示す。この具体例では、端プレートが、軸方向に移動するように設けられた可動端プレートと、軸方向に移動不能に設けられた不動端プレートとで構成されている。
【００７１】
（可動端プレート）
図８に示すように、可動端プレートは、出力端プレート３０ａ（ドリブンプレート３０）を、ピストン５０の押付部５０ａに溶接することによって構成できる。押付部５０ａに溶接されたドリブンプレート３０は、ピストン５０とともに軸方向に移動し、非締結状態では、所定位置に保持できる。この場合、既存の部材をそのまま利用して可動端プレートを構成できる。
【００７２】
一体成形により、端プレートと押付部５０ａとが一体になったピストン５０を用いてもよい。出力側に位置するドリブンプレート３０をピストン５０と一体に設けることで、構造の複雑化を招くことなく、可動端プレートを適切かつ簡単に構成することができる。
【００７３】
（不動端プレート）
図８に示すように、不動端プレートは、第１嵌合溝１１における入力側の端の部分に突起部８０を設け、その突起部８０で、最後に第１嵌合溝１１に嵌入される入力端プレート３０ｂ（リテーナプレート３０ｂ）の出力側へのスライドを規制することにより、構成できる。
【００７４】
具体的には、図９、図１０に示すように、開放端１１ａの近傍にある第１嵌合溝１１の内壁面に、内方に突出する小さな突起部８０を形成する。突起部８０は、リング溝１２よりも出力側に形成し、リング溝１２との間に、リテーナプレート３０ｂの板厚よりも僅かに大きな間隔が空くように形成する。なお、図９のリング溝１２は模式的な図２のリング溝１２の一形態である。
【００７５】
それとともに、図１０の（ａ）に示すように、複数のドリブンプレート３０のうち、リテーナプレート３０ｂを除くドリブンプレート３０については、突起部８０が形成されている第１嵌合溝１１に嵌入される第１嵌合片３１に、突起部８０との接触を回避する切欠部８１を形成する。
【００７６】
このトランスミッション１では、ドリブンプレート３０をドラム１０に組み付ける際、各ドリブンプレート３０は、ドライブプレート４０と交互に配列しながら、各第１嵌合片３１を各第１嵌合溝１１に嵌入してドラム１０に装着していく。その際、第１嵌合溝１１に突起部８０が形成されていても、各ドリブンプレート３０には切欠部８１が形成されているので、支障無く、各ドリブンプレート３０をドラム１０に装着できる。
【００７７】
一方、図１０の（ｂ）に示すように、最後に各第１嵌合片３１が各第１嵌合溝１１に嵌入されるリテーナプレート３０ｂには切欠部８１が形成されていない。従って、リテーナプレート３０ｂは、突起部８０によって出力側へのスライドが規制される。すなわち、突起部８０は移動規制部を構成し、突起部８０によってリテーナプレート３０ｂの出力側への移動が規制される。リテーナプレート３０ｂはまた、スナップリング７０によって入力側への移動が規制されるので、不動端プレートを構成する。
【００７８】
このような不動端プレートであれば、既存の部材、すなわちドラム１０およびドリブンプレート３０の一部の形状を僅かに変更するだけで、簡単に構成できる。
【００７９】
突起部８０はまた、図９に示すように、複数の第１嵌合溝１１のうち、周方向に略等間隔で離れた３つ以上の第１嵌合溝１１に形成するのが好ましい。そうすることにより、不動端プレートが軸方向に対して大きく傾動するのを抑制できので、不動端プレートの移動をバランスよく規制できる。
【００８０】
（不動端プレートの別形態）
不動端プレートはまた、リング溝１２を利用して構成してもよい。具体的には、リング溝１２およびリテーナプレート３０ｂの少なくともいずれか一方に移動規制部を設け、移動規制部で、リテーナプレート３０ｂの出力側への移動を規制することにより、不動端プレートを構成する。
【００８１】
図１１Ａに、その一例（第１形態）を示す。第１形態では、リング溝１２に嵌め込まれるプレートホルダー８２によって移動規制部８２ｃが構成されている。プレートホルダー８２は、リング溝１２に嵌め込まれる脚部８２ａと、リテーナプレート３０ｂの端部と第１嵌合溝１１の内面との間に嵌まり込む延出部８２ｂと、リテーナプレート３０ｂの板面に接する規制部８２ｃとを有している。脚部８２ａ、延出部８２ｂ、および規制部８２ｃは一体に形成されている。
【００８２】
プレートホルダー８２をリング溝１２に装着した後に、リテーナプレート３０ｂをドラム１０に装着する。そうした後に、スナップリング７０をリング溝１２に嵌入し、リテーナプレート３０ｂをドラム１０に固定する。この場合、ドラム１０のプレートホルダー８２の装着部位は、プレートホルダー８２の形状に合わせて追加工するのが好ましい。
【００８３】
図１１Ｂに、別の一例（第２形態）を示す。第２形態では、リテーナプレート３０ｂの外周側の縁の一部に、リング溝１２に嵌まり込む規制片部８３を設けることによって移動規制部が構成されている。例えば、リテーナプレート３０ｂの外周縁部の一部を径方向外側に延出させ、その延出部８２ｂ分をリング溝１２の形状に合わせて折り曲げることによって規制片部８３を形成してもよい。
【００８４】
なお、移動規制部は、全周、または周方向に略等間隔で離れた３箇所以上に形成するのが好ましい。そうすることにより、不動端プレートをバランスよく規制できる。
【００８５】
上述した可動端プレートおよび不動端プレートの構成例は、一例である。可動端プレートは、軸方向に移動可能とし、不動端プレートは軸方向に移動不能とし、非締結状態において、可動端プレートと不動端プレートとの間に所定の間隔を保持できれば足り、これらの構成は、仕様に応じて変更できる。リング溝１２や突起部８０の形状も、仕様に応じて変更できる。
【００８６】
なお、開示する技術にかかる摩擦締結装置は、上述した実施形態に限定されず、それ以外の種々の構成をも包含する。例えば、開示する技術が適用できる変速機の形態は、上述したトランスミッション１に限らない。湿式の摩擦締結装置を有するものであれば、その用途も自動車に限らず、適用可能である。
【符号の説明】
【００８７】
１  トランスミッション
３  出力軸（回転軸）
４  変速装置
５  断続装置
６  摩擦締結装置（クラッチ）
１０  ドラム
１１  第１嵌合溝（スライド凹部）
１２  リング溝
２０  ハブ
３０  ドリブンプレート（摩擦プレート）
３０ａ  出力側端プレート
３０ｂ  入力側端プレート（リテーナプレート）
３１  第１嵌合片（スライド凸部）
４０  ドライブプレート（摩擦プレート）
５０  ピストン
６０  プレート収容室
７０  スナップリング
８０  突起部（移動規制部）
８１  切欠部
８２  プレートホルダー（移動規制部）
８３  規制片部（移動規制部）
【図１】
2020193664.tif 000003
【図２】
2020193664.tif 000004
【図３】
2020193664.tif 000005
【図４】
2020193664.tif 000006
【図５】
2020193664.tif 000007
【図６Ａ】
2020193664.tif 000008
【図６Ｂ】
2020193664.tif 000009
【図７】
2020193664.tif 000010
【図８】
2020193664.tif 000011
【図９】
2020193664.tif 000012
【図１０】
2020193664.tif 000013
【図１１Ａ】
2020193664.tif 000014
【図１１Ｂ】
2020193664.tif 000015